(57)【要約】【課題】排気ガス中の二酸化窒素を確実に一酸化窒素へ還元することにより、排気ガスにおける窒素酸化物の濃度を正確に計測することができる。【解決手段】排気ガスを採取する採取管２と、採取管２により採取した排気ガスが導入されることで、排気ガスの窒素酸化物の濃度を分析する分析装置３とを備え、採取管２は、排気ガス中の二酸化窒素を一酸化窒素に還元させる還元触媒を有する還元採取管２Ａと、還元作用を有さない不活性採取管２Ｂと、を有し、分析装置３に、還元採取管２Ａにより採取される排気ガスと不活性採取管２Ｂによって採取される排気ガスとが選択的に導入される構成の窒素酸化物計測器１を提出する。【選択図】図１
2013160525.tif 000002
【特許請求の範囲】
【請求項１】
排気ガスを採取する採取管と、
前記採取管により採取した排気ガスが導入されることで、該排気ガスの窒素酸化物の濃度を分析する分析装置と、を備える窒素酸化物計測器であって、
前記採取管は、
前記排気ガス中の二酸化窒素を一酸化窒素に還元させる還元触媒を有する第１採取管と、
前記還元作用を有さない第２採取管と、
を有し、
前記分析装置に、前記第１採取管により採取される排気ガスと前記第２採取管によって採取される排気ガスとが選択的に導入されることを特徴とする窒素酸化物計測器。
【請求項２】
前記第１採取管には、還元作用を有する還元触媒に排気ガスが通過し得るように充填されていることを特徴とする請求項１に記載の窒素酸化物計測器。
【請求項３】
前記還元触媒形状が、粒状、メッシュ状、発泡状およびウール状のいずれかであることを特徴とする請求項２に記載の窒素酸化物計測器。
【請求項４】
前記第１採取管には、前記還元触媒を加熱するヒータが設けられていることを特徴とする請求項１乃至３のいずれか１項に記載の窒素酸化物計測器。
【発明の詳細な説明】
【技術分野】
【０００１】
本発明は、排気ガスについて窒素酸化物の濃度を計測する窒素酸化物計測器に関する。
【背景技術】
【０００２】
従来、ガスタービンやガスエンジンから排出される排気ガスについて、窒素酸化物（ＮＯｘ）の濃度を計測する方法及び計測器としては、ＪＩＳ（日本工業規格）等に規格が定められている。このうち、窒素酸化物の濃度を連続的に計測する方法としては、いわゆる化学発光法が広く用いられている。この化学発光法とは、一酸化窒素（ＮＯ）がオゾンとの化学反応に伴って光子を放出する現象を利用するものであって、その発光量を検出することにより、排気ガス中における窒素酸化物（ＮＯｘ）の濃度を計測する。
【０００３】
一般に窒素酸化物として一酸化窒素（ＮＯ）と二酸化窒素（ＮＯ２）とに大別されるが、ガスタービンやガスエンジンを低負荷で運転した時の排気ガスには二酸化窒素（ＮＯ２）が多く含有している。この二酸化窒素は、水に溶けやすいという特性を有している。従って、窒素酸化物計測器によって窒素酸化物の濃度を計測する場合、経路上で二酸化窒素が水に溶解して損失することにより、排気ガスを化学的に成分分析した場合と比較して、窒素酸化物の濃度が低く計測されるという問題がある。ここで、経路上において二酸化窒素が損失する箇所としては、採取した排気ガスを計測器へ導入する導管の内部や、計測器の内部にて排気ガスに前処理を行う除湿器等が挙げられる。
【０００４】
このような二酸化窒素の損失の問題を防止する手段としては、導管を加熱することで導管内の水を除去する方法や、導管を高速に吸引することで二酸化窒素の水への接触時間を短くする方法があるが、その効果は十分ではない。
【０００５】
また、二酸化窒素の損失の問題を防止する他の手段としては、排気ガスを採取する採取管の材質をニッケル合金とし、この採取管に接触した二酸化窒素を一酸化窒素に還元する方法が報告されている（例えば、特許文献１参照）。この方法によれば、排気ガス中の二酸化窒素が水に溶けにくい一酸化窒素になるため、二酸化窒素の損失の問題を低減することができる。
【先行技術文献】
【特許文献】
【０００６】
【特許文献１】特表２００８−５２２１７６号公報
【発明の概要】
【発明が解決しようとする課題】
【０００７】
しかしながら、従来の窒素酸化物計測器では、採取管とその内部を流れる排気ガスとの接触が悪いため、二酸化窒素の一酸化窒素への還元率が低く且つ不安定であるという問題があった。
また、従来の窒素酸化物計測器では、採取管の温度が低いため、二酸化窒素の一酸化窒素への還元反応が進みにくいという問題もあり、その点で改善の余地があった。
【０００８】
本発明は、上述する問題点に鑑みてなされたもので、排気ガス中の二酸化窒素を確実に一酸化窒素へ還元することにより、排気ガスにおける窒素酸化物の濃度を正確に計測することができる窒素酸化物計測器を提供することを目的とする。
【課題を解決するための手段】
【０００９】
上記目的を達成するため、本発明に係る窒素酸化物計測器では、排気ガスを採取する採取管と、採取管により採取した排気ガスが導入されることで、排気ガスの窒素酸化物の濃度を分析する分析装置と、を備える窒素酸化物計測器であって、採取管は、排気ガス中の二酸化窒素を一酸化窒素に還元させる還元触媒を有する第１採取管と、還元作用を有さない第２採取管と、を有し、分析装置に、第１採取管により採取される排気ガスと第２採取管によって採取される排気ガスとが選択的に導入されることを特徴としている。
【００１０】
本発明では、還元触媒を有する第１採取管は、その管内の還元触媒の面積を大きくすることが容易であり、管内を流れる排気ガスを還元触媒に十分に接触させることが可能となるため、例えばステンレス鋼からなる採取管内に排気ガスを流通させる場合に比べて高い還元率を有し、内部を流通する排気ガス中のすべての二酸化窒素を一酸化窒素に還元することができる。
一方、還元作用を有さない第２採取管の内部を流通する排気ガスは、排気ガス中の二酸化窒素は還元されることがなく、二酸化窒素と一酸化窒素の濃度比率を変えずに流通する。そのため、第１採取管と第２採取管とを同時に排気ガス採取箇所に設け、それら第１採取管と第２採取管を選択的に切り換えて、それぞれの排気ガスを分析装置に導入することで、採取管ごとに窒素酸化物濃度と一酸化窒素濃度とを分別して計測することができる。
このとき、第２採取管から計測された排気ガス中の一酸化窒素の濃度は、二酸化窒素の還元分が混合していない純粋な濃度である。一方、第１採取管から計測された排気ガス中の一酸化窒素の濃度は、純粋な一酸化窒素と、二酸化窒素が還元された一酸化窒素とが混合した状態の濃度となる。したがって、この窒素酸化物計測器では、第１採取管の計測濃度と第２採取管の計測濃度との濃度差分を採取した排気ガス中の二酸化窒素の濃度として取り扱うことができる。
【００１１】
また、この窒素酸化物計測器によれば、第１採取管で採取される排気ガス中の二酸化窒素が第１採取管内で水に溶けにくい一酸化窒素になるため、二酸化窒素の損失の問題を低減することができる。
【００１２】
また、本発明に係る窒素酸化物計測器では、第１採取管には、還元作用を有する還元触媒に排気ガスが通過し得るように充填されていることが好ましい。
【００１３】
このような構成によれば、第１採取管の内部に還元触媒が充填された状態で設けられており、その充填された還元触媒に管内を流通するすべての排ガスが通過するので、排ガス中の二酸化窒素をより確実に一酸化窒素に還元することができる。
【００１４】
また、本発明に係る窒素酸化物計測器では、還元触媒形状が、粒状、メッシュ状、発泡状およびウール状のいずれかであることが好ましい。
【００１５】
この場合、排気ガスが還元触媒を通過する際にこれらと接触する面積は、排気ガスが第１採取管を流通する際に第１採取管の管本体と接触する面積より広い。したがって、排気ガス中の二酸化窒素がより確実に一酸化窒素へ還元される。
【００１６】
また、本発明に係る窒素酸化物計測器では、第１採取管には、還元触媒を加熱するヒータが設けられていることが好ましい。
【００１７】
本発明では、制御部がヒータの動作を制御することによって還元触媒が加熱されるため、二酸化窒素から一酸化窒素への還元反応が一層促進される。
【発明の効果】
【００１８】
本発明の窒素酸化物計測器によれば、排気ガス中の二酸化窒素を確実に一酸化窒素へ還元することにより、排気ガスにおける窒素酸化物の濃度を正確に計測することができる。
【図面の簡単な説明】
【００１９】
【図１】本発明の第１の実施の形態による窒素酸化物計測器の全体構成を示す模式図である。
【図２】図１に示す採取管の構成を示す破断側面図である。
【図３】図２に示す還元触媒充填部の側断面図である。
【図４】第２の実施の形態による窒素酸化物計測器の全体構成を示す模式図である。
【図５】ＮＯ２還元触媒性能を示す図である。
【発明を実施するための形態】
【００２０】
以下、本発明の実施の形態による窒素酸化物計測器について、図面に基づいて説明する。かかる実施の形態は、本発明の一態様を示すものであり、この発明を限定するものではなく、本発明の技術的思想の範囲内で任意に変更可能である。
【００２１】
（第１の実施の形態）
図１に示すように、本第１の実施の形態の窒素酸化物計測器１は、排ガスを採取する採取管２（２Ａ、２Ｂ）と、採取管２により採取した排気ガスが導入されることで、排気ガスの窒素酸化物の濃度を分析する分析装置３と、を備えている。
【００２２】
図２に示すように、採取管２は、前記排気ガス中の二酸化窒素を一酸化窒素に還元させる還元作用を有する還元採取管２Ａ（第１採取管）と、前記還元作用を有さない不活性採取管２Ｂ（第２採取管）と、を有している。
【００２３】
不活性採取管２Ｂは、還元性能を有しないアルミ製などの金属管の部材からなり、一酸化窒素の計測用として使用されるものである。なお、アルミのほかに、例えばガラス、セラミックなどの部材を採用することも可能である。
【００２４】
ここで、採取管２Ａに充填される触媒量は、ＳＶ（空間速度）＝５０００〜３００００（H−１）とされる。
【００２５】
図２および図３に示すように、還元採取管２Ａは、断面略円形の管状部材である管本体２１と、採取先端部に位置する筒状の採取口部２２と、管本体２１と採取口部２２との間に介在された還元触媒充填部２３と、を有している。還元触媒充填部２３の内部には、採取口部２２に連通する充填管２４内に充填されたＮＯｘ還元触媒２５が設けられている。
【００２６】
ここで、管本体２１の材質としては、ステンレス鋼、ニッケル鋼、炭素鋼等を用いることができる。
【００２７】
採取口部２２は、還元触媒充填部２３内の開口２２ａの全体がＮＯｘ還元触媒２５に接触した状態で配置されている。すなわち、還元触媒充填部２３では、採取口部２２から還元触媒充填部２３内に流入した排ガスのすべてがＮＯｘ還元触媒２５を通過し、二酸化窒素から一酸化窒素に還元された排ガスが管本体２１へ向けて流通する構成となっている。
【００２８】
さらにＮＯｘ還元触媒２５の材料として、排ガス温度５００℃以上での耐熱性を有するコージェライト、ムライト、アルミナなどの無機酸化物セラミックス基材に多孔質担体をコートし、さらに活性金属を担持した還元性能を確保したものを採用することができる。例えば、ＮＯｘ還元触媒２５の具体例として、アルミナ、シリカ、およびゼオライト（多孔質担体）に対して、白金を担持したもの。また、アルミナ、シリカ、およびゼオライト（多孔質担体）に対して、パラジウム、ロジウムを担持したもの。あるいは、アルミナ、シリカ、ゼオライト（多孔質担体）に対して白金、パラジウム、バナジウム、タングステン、イリジウム、ルビジウムのうち一つ以上を担持したものがある。
【００２９】
また、ＮＯｘ還元触媒２５は、粒状、メッシュ状、発泡状、ウール状などの空気抵抗が小さな部材形状のものであって、採取口部２２より流入する排ガスの接触面積を大きくして充填可能なものが好ましい。
【００３０】
図１に示すように、このように構成される採取管２Ａ、２Ｂは、不図示のガスタービンやガスエンジンから排出された排気ガスが流通する煙道４に装着される。より詳細には、煙道４の壁面５に形成された採取用穴５ａに対し、排気ガスの流れに略直交するように還元採取管２Ａおよび不活性採取管２Ｂを挿入することにより取り付ける。
【００３１】
図１に示す分析装置３は、還元採取管２Ａにより採取される排気ガスと不活性採取管２Ｂによって採取される排気ガスとが選択的に導入される構成となっている。
具体的に分析装置３は、一対の導入口３１Ａ、３１Ｂを有し、これら導入口３１Ａ、３１Ｂのそれぞれに対して前記還元採取管２Ａおよび不活性採取管２Ｂに接続されて延在する導管２６Ａ、２６Ｂが接続されている。この導入口３１Ａ、３１Ｂに対し、排気ガス流路３２の分岐されたそれぞれ（分岐流路３２Ａ、３２Ｂ）の一端部が接続される。なお、本実施の形態の分析装置３は、本発明に係る分析装置の一例であって、適宜設計変更が可能である。
【００３２】
排気ガス流路３２の分岐流路３２Ａ、３２Ｂには、それぞれに開閉弁３３Ａ、３３Ｂが設けられている。また、分岐流路３２Ａ、３２Ｂの合流部３２ａよりも下流側には、除湿器３４が設けられている。この除湿器３４は、排気ガスを冷却してその水分を凝縮させることにより、ドレンとして回収する役割を果たすものである。
【００３３】
さらに、排気ガス流路３２に沿って除湿器３４の下流側には、排気ガス中に含まれるミストを回収する二次フィルタ３５が設けられている。また、この二次フィルタのさらに下流側には、上流側の排気ガスを吸引して下流側へ送出する吸引ポンプ３６が設けられている。
【００３４】
また、排気ガス流路３２に沿って吸引ポンプ３６の下流側には、内部に所定の触媒を有したコンバータ３７が設置されており、排気ガス中の二酸化窒素を一酸化窒素に還元する。その後、コンバータ３７は、排気ガス中の一酸化窒素をオゾンで酸化することにより、その全てを二酸化窒素に変化させる。
【００３５】
また、排気ガス流路３２に沿ってコンバータ３７の下流側には、排気ガス流路３２の開度を調節する絞り弁３８と、排気ガス流路３２の開閉を切り換える切換弁３９と、排気ガスの流量を計測する流量計４０と、が上流から下流に向かう順に設けられている。
【００３６】
そして、排気ガス流路３２に沿って流量計４０の下流側には、分析計４１が設けられている。この分析計４１は、一酸化窒素がオゾンとの反応によって二酸化窒素に変化する際の発光量を計測することにより、排気ガス中に含まれる窒素酸化物の濃度を算出する。そして、この分析計４１による分析結果が、指示記録計４２に出力されて記録される。その後、分析計４１を通過した排気ガスは、窒素酸化物計測器１の外部へ排出される。
【００３７】
次に、上述した構成の窒素酸化物計測器１の作用について、図面に基づいて具体的に説明する。
図１に示すように、本実施の形態による窒素酸化物計測器１では、ＮＯｘ還元触媒２５を有する還元採取管２Ａは、その管内の還元触媒の面積を大きくすることが容易であり、管内を流れる排気ガスをＮＯｘ還元触媒２５に十分に接触させることが可能となるため、例えばステンレス鋼からなる採取管内に排気ガスを流通させる場合に比べて高い還元率を有し、内部を流通する排気ガス中の二酸化窒素を一酸化窒素に還元することができる。
一方、還元作用を有さない不活性採取管２Ｂの内部を流通する排気ガスは、排気ガス中の二酸化窒素は還元されることがなく、二酸化窒素と一酸化窒素の濃度比率を変えずに流通する。
【００３８】
そのため、還元採取管２Ａと不活性採取管２Ｂとを同時に排気ガス採取箇所に設け、それら還元採取管２Ａと不活性採取管２Ｂを選択的に切り換えて、それぞれの排気ガスを分析装置３に導入することで、窒素酸化物濃度と一酸化窒素濃度とを分別して計測することができる。
このとき、不活性採取管２Ｂから計測された排気ガス中の一酸化窒素の濃度は、二酸化窒素の還元分が混合していない純粋な濃度である。一方、還元採取管２Ａから計測された排気ガス中の一酸化窒素の濃度は、純粋な一酸化窒素と、二酸化窒素が還元された一酸化窒素とが混合した状態の濃度となる。したがって、この窒素酸化物計測器１では、還元採取管２Ａの計測濃度と不活性採取管２Ｂの計測濃度との濃度差分を採取した排気ガス中の二酸化窒素の濃度として取り扱うことができる（表１参照）。
【００３９】
また、この窒素酸化物計測器１によれば、還元採取管２Ａで採取される排気ガス中の二酸化窒素が還元採取管２Ａ内で水に溶けにくい一酸化窒素になるため、二酸化窒素の損失の問題を低減することができる。
【００４０】
【表１】
2013160525.tif 000003
【００４１】
表１は、本実施の形態の窒素酸化物計測器１の効果を示す一例である。排気ガスを採取する煙道内における一酸化窒素濃度、および二酸化窒素濃度はそれぞれ１５ｐｐｍであり、窒素酸化物濃度としては３０ｐｐｍである。
ここで、比較例であるステンレス鋼の部材からなる採取管（ＳＵＳ管）の場合、窒素酸化物計測器（ＮＯｘ計）での一酸化窒素濃度は１５ｐｐｍであり、窒素酸化物濃度が２７ｐｐｍとなることから、化学分析値の窒素酸化物濃度３０ｐｐｍより低くなっており、３ｐｐｍの二酸化窒素が損失していることがわかる。これに対して、本実施の形態の不活性採取管２Ｂに相当するアルミ管では、一酸化窒素濃度は１５ｐｐｍであり、窒素酸化物濃度が２５ｐｐｍとなり、化学分析値の窒素酸化物濃度３０ｐｐｍより低くなっており、５ｐｐｍの二酸化窒素が損失していることがわかる。そして、本実施の形態の還元採取管２Ａに相当するＮＯ２還元触媒充填管では、一酸化窒素は、二酸化窒素の還元した一酸化窒素も混合されているので、正確な一酸化炭素濃度の計測が不可能なため未計測であるが、窒素酸化物濃度は３０ｐｐｍとなり、化学分析値の窒素酸化物濃度３０ｐｐｍと一致した濃度を計測できることが確認された。
【００４２】
したがって、上述した本実施の形態の還元採取管２Ａでは、管内での二酸化窒素の損失がないことが確認できることから、還元採取管２Ａで採取した排気ガスより計測した窒素酸化物濃度と、不活性採取管２Ｂで採取した排気ガスより計測した一酸化窒素濃度との差分を二酸化窒素濃度とすることができる。
【００４３】
上述した本第１の実施の形態による窒素酸化物計測器では、排気ガス中の二酸化窒素を確実に一酸化窒素へ還元することにより、排気ガスにおける窒素酸化物の濃度を正確に計測することができる。
【００４４】
次に、本発明の窒素酸化物計測器による他の実施の形態について、添付図面に基づいて説明するが、上述の第１の実施の形態と同一又は同様な部材、部分には同一の符号を用いて説明を省略し、実施の形態と異なる構成について説明する。
【００４５】
（第２の実施の形態）
図４に示すように、第２の実施の形態による窒素酸化物計測器は、還元採取管２Ａの管本体２１の内部で、ＮＯｘ還元触媒２５の断面中心部に埋設されたヒータ６を設けている。
ここで、ＮＯ２還元触媒性能は、排ガス温度が５００℃以上で６０％以上の還元率がある（後述する、図５参照）ことから、ヒータ６を設置して還元採取管２Ａの温度を制御することにより、安定した還元性能を有する。なお、ヒータ６の断面形状や長さ、設置位置等は、本実施の形態に限定されず適宜設計変更が可能である。
【００４６】
図５には、コージェライトハニカム基材にγ−アルミナをウオッシュコートした触媒担体を使用し、これに白金を０．１〜０．５ｗｔ％担持したものを使用したＮＯ２還元触媒の性能を示したものである。
図５に示すように、触媒自体の還元率は８０％程度だが、図１に示す分析装置３にも還元コンバータ３７が内蔵されており、それらを併用した場合の還元率は９５％以上である。
窒素酸化物計には還元コンバータが内蔵されているが、窒素酸化物中の二酸化窒素が多い場合には、その能力不足が懸念される。その不具合を本実施の形態によるＮＯｘ還元触媒２５にて補完するものであり、本実施の形態の触媒自体の還元性能は、５０％以上であれば良い。したがって、二酸化窒素を一酸化窒素に還元して計測する目的に対し、ＮＯ２還元触媒性能が６０〜８０％程度で良いことがわかる。
【００４７】
以上、本発明による窒素酸化物計測器の実施の形態について説明したが、本発明は上記の実施の形態に限定されるものではなく、その趣旨を逸脱しない範囲で適宜変更可能である。
例えば、本実施の形態では還元触媒として、還元触媒充填部２３内に充填管２４を備え、その充填管２４内にＮＯｘ還元触媒２５を充填する構成としているが、このような構成に限定されることはない。例えば、還元触媒として、ステンレス鋼からなる断面略円形をなし、管本体２１と略同程度の長さで、且つ管本体２１より小径の複数の細管であってもよい。
【００４８】
また、本実施の形態では、還元採取管２Ａと不活性採取管２Ｂとの切り替える開閉弁３３Ａ、３３Ｂを分析装置３内に設けているが、これら開閉弁３３Ａ，３３Ｂを分析装置３の外に設ける構成とすることも可能である。
【００４９】
その他、本発明の趣旨を逸脱しない範囲で、上記した実施の形態における構成要素を周知の構成要素に置き換えることは適宜可能であり、また、上記した実施の形態を適宜組み合わせてもよい。
【符号の説明】
【００５０】
１  窒素酸化物計測器
２  採取管
２Ａ  還元採取管（第１採取管）
２Ｂ  不活性採取管（第２採取管）
３  分析装置
４  煙道
６  ヒータ
２１  管本体
２２  採取口部
２３  還元触媒充填部
２４  充填管
２５  ＮＯｘ還元触媒
３３Ａ、３３Ｂ  開閉弁
【図１】
2013160525.tif 000004
【図２】
2013160525.tif 000005
【図３】
2013160525.tif 000006
【図４】
2013160525.tif 000007
【図５】
2013160525.tif 000008